(57)【特許請求の範囲】
【請求項１】
複数の複写モードが設定でき、各複写モードを連続的に実行するマルチジョブモードを有する複写装置において、
第１の複写モードの次の第２の複写モードを予約設定する予約設定手段と、多色表示または多階調表示が可能で操作画面上で設定条件を選択操作する入力手段を有する操作表示手段と、操作画面の少なくとも特定領域の表示色を変換させる表示色変換手段とを備え、
前記表示色変換手段は、第２の複写モードの予約設定時に、操作画面の表示色を第１の複写モードの設定時の表示色と異なる表示色に変更し、第２の複写モード設定を終了すると、操作画面の表示色を第１の複写モード設定時の表示色に戻すことを特徴とする複写装置。
【請求項２】
請求項１記載の複写装置において、
複数の原稿給紙口を有する自動原稿送り装置を備え、マルチジョブモード実行時、第２の給紙口から第１の給紙口に原稿を搬送するようにしたことを特徴とする複写装置。
【請求項３】
請求項１記載の複写装置において、
前記表示色変換手段は、第２の複写モードの複写動作中、操作画面の表示色を第１の複写モードの複写動作中の表示色と異なる表示色に変更することを特徴とする複写装置。
【請求項４】
請求項３記載の複写装置において、
前記表示色変換手段は、第２の複写モードの複写動作を完了すると、操作画面の表示色を第１の複写モード時の表示色に戻すことを特徴とする複写装置。
【請求項５】
請求項３記載の複写装置において、
前記表示色変換手段は、第２の複写モード設定中の表示色と、第２の複写モードの複写動作中の表示色を同色とすることを特徴とする複写装置。
【発明の詳細な説明】
【０００１】
【発明の属する技術分野】
本発明は、複数の複写モードを連続して設定し、あるいは第１の複写モード実行中に第２の複写モードを設定し、順次各複写モードによる複写動作を実行する、いわゆるマルチジョブモード機能を有する複写装置の改良に関する。
【０００２】
【従来の技術】
第１の画像形成動作中に第２の画像形成動作のモードを予約モードとして設定できる画像形成装置が特開平３−２６１９６６号公報に提案されている。
従来、マルチジョブモードの設定に際しては、第１のジョブ（第１の複写モード）の設定画面において、第１のジョブの複写モードの設定の後、予約コピーキーを押下することにより、第１のジョブの複写モードの内容がメモリに記憶されるようになる。そして、その後、表示画面はモードクリアされて、第２のジョブ（第２の複写モード）の設定画面になり、第２のジョブの複写モードの設定が終了すると、再度予約コピーキーを押下することにより、第２のジョブの内容がメモリに記憶され、再び、第１のジョブの複写モードの表示を行っている。
【０００３】
【発明が解決しようとする課題】
従来装置において、第１のジョブの設定時と、第２のジョブの設定時の表示画面上の違いは、第２のジョブの設定時には、予約コピーキーが選択状態になり、予約解除キーが表示され、メッセージに、「予約コピーできます」と表示される点のみであった。
第２のジョブの設定を解除する予約解除の場合や、第１のジョブ及び第２のジョブの設定を全てクリアするモードクリア動作や、第２のジョブ設定後第１のジョブ表示画面のとき、第２のジョブの内容を確認したり変更したりするために、第２のジョブを表示させるといった作業を行おうとすると、ユーザーは操作画面がどちらのジョブの表示／設定中であるか、判り難いという問題があった。
【０００４】
また、第２のジョブの設定後、複写動作を開始させ、第１のジョブが終了した後、第２のジョブの複写動作が開始しても、表示画面は何も変わらない場合もあり、「予約コピー中です」といったメッセージを表示するのみの場合もある。そのため、どちらのジョブの複写動作を行っているのか判り難かった。
【０００５】
ところで、近年、複写機等の画像形成装置は複写モードが多様化しており、操作パネルも固定キーからＣＲＴ／ＬＣＤ上のソフトキーをタッチパネル等で読み取る方式が主流となっている。
また、操作パネルは、ユーザーインターフェイスを向上させるため、大型化しており、表示画面も白黒からカラー表示に変わりつつある。
【０００６】
本発明はこのような背景に基づいてなされたものであり、操作画面の表示色を変える点に着目し、どの複写モードを設定しているのか一目で判り、使い勝手に優れた複写装置を提供することを目的とする。
【０００７】
【課題を解決するための手段】
この目的を達成するために、請求項１記載の発明は、複数の複写モードが設定でき、各複写モードを連続的に実行するマルチジョブモードを有する複写装置において、第１の複写モードの次の第２の複写モードを予約設定する予約設定手段と、多色表示または多階調表示が可能で操作画面上で設定条件を選択操作する入力手段を有する操作表示手段と、操作画面の少なくとも特定領域の表示色を変換させる表示色変換手段とを備え、前記表示色変換手段は、第２の複写モードの予約設定時に、操作画面の表示色を第１の複写モードの設定時の表示色と異なる表示色に変更し、第２の複写モード設定を終了すると、操作画面の表示色を第１の複写モード設定時の表示色に戻すことを特徴とするものである。
【０００８】
また請求項２記載の発明は、請求項１記載の発明において、複数の原稿給紙口を有する自動原稿送り装置を備え、マルチジョブモード実行時、第２の給紙口から第１の給紙口に原稿を搬送するようにしたことを特徴とするものである。
【０００９】
また請求項３記載の発明は、請求項１記載の複写装置において、前記表示色変換手段は、第２の複写モードの複写動作中、操作画面の表示色を第１の複写モードの複写動作中の表示色と異なる表示色に変更することを特徴とするものである。
【００１０】
また請求項４記載の発明は、請求項３記載の複写装置において、前記表示色変換手段は、第２の複写モードの複写動作を完了すると、操作画面の表示色を第１の複写モード時の表示色に戻すことを特徴とするものである。
【００１１】
また請求項５記載の発明は、請求項３記載の複写装置において、前記表示色変換手段は、第２の複写モード設定中の表示色と、第２の複写モードの複写動作中の表示色を同色とすることを特徴とするものである。
【００１３】
【発明の実施の形態】
以下、本発明の実施の形態を添付図面に沿って詳細に説明する。
図１は一実施の形態を示す複写装置の全体構成図である。
この複写装置は、複写機本体Ａ、原稿の自動給送を行う循環式原稿給送装置（ＲＤＦ）と自動原稿給送装置（ＡＤＦ）Ｂ、フィニッシャ（用紙後処理装置）Ｃを備えている。
以下、概略のコピープロセスを図１を参照しながら説明する。
後述する図３に示すように、ＲＤＦには、原稿トレイ２０１があり、そこに載置された原稿は、バキュームベルト２０２により給紙され、中間搬送路２０４を通り、コンタクトガラス１０１上に搬送される。そこで原稿はフラッシュランプ１０２により全面光照射される。フラッシュランプ１０２の電源１０３は、フラッシュに先立ち、電荷が与えられ所定のタイミングで発光する。
【００１４】
原稿からの反射光は、第１ミラー１０４、スルーレンズ１０５、第２ミラー１０６によりベルト感光体（以下、単に感光体と呼ぶ）１０７を露光する。感光体１０７は、帯電器１０８により電荷が一様に与えられており、露光により静電潜像を形成する。感光体１０７上の静電潜像は、イレーサ１０９により不要部分の電荷が除去され、現像器１１０により現像されて転写部へ送られる。
【００１５】
現像された原稿像は、そこで転写チャージャ１１１により転写紙（用紙）上に転写される。この転写紙は、給紙トレイ１１２，１１３，１１４、両面トレイ１２４のいずれかより給紙され、搬送路１１５に沿って搬送され、レジストローラ１１６により感光体１０７上の原稿像とタイミングを合わせて、感光体１０７と転写チャージャ１１１との間に送られる。そこで像転写された転写紙は、分離チャージャ１２０により感光体１０７と分離し、搬送ベルト１１７を通り定着器１１８により定着される。
【００１６】
転写紙の両面に複写する両面モードでは、両面切り替え爪１２１が両面トレイ１２４側に切り替わり、転写紙が両面進入路１２３より両面トレイ１２４に送られ、両面トレイ１２４内に一旦蓄えられる。また、転写紙の片面にのみ複写する片面モードでは、両面切り替え爪１２１が排紙側に切り替わり、排出切り替え爪１２２まで搬送される。排出切り替え爪１２２は、転写紙を本体トレイ１１９側への排出か、フィニッシャＣへの排出かを切り替える働きをする。
感光体１０７は、転写紙の分離後に除電用チャージャ１２５により除電され、クリーニング装置１２６により感光体１０７上の残トナーを除去され、次の複写に備える。
【００１７】
図２は、感光体に像を形成し、給紙トレイより搬送された転写紙に像を形成するための制御ブロック図である。
以下、構成、動作について説明する。ＣＰＵ１３１、入力ポート１３２、出力ポート１３３等で制御部が構成されている。入力ポート１３２には各種センサが接続され、センサ信号を入力する。出力ポート１３３には、モータ制御回路１３４、パワーパック１３５等が接続され、負荷の制御が可能になっている。
【００１８】
画像形成時は、感光体１０７の継ぎ目を避けるために、画像形成に先立って感光体１０７上の画像形成領域を決める必要がある。そのために、感光体１０７の端部には、継ぎ目から一定の距離に同期マークが設けられ、マークセンサ１３６で検出されるようになっている。画像領域を決定するためには、感光体１０７を駆動し、このマークを検出する必要がある。
【００１９】
そのために、出力ポート１３３からの駆動信号が、モータ制御回路１３４に入力され、感光体駆動モータ１３７が駆動される。感光体駆動モータ１３７には、エンコーダ１３８が一体に取り付けられており、感光体１０７の移動距離に比例した数のパルスを出力する。
【００２０】
そのパルス信号は、モータ制御回路１３４に入力され、感光体駆動モータ１３７を等速に回転させるために使用されると共に、分周器１３９にも入力され、所定の分周比で分周された後、ＣＰＵ１３１に入力され、その数がカウントされる。この値は、感光体１０７の移動量に比例しているので、このカウント値により画像形成領域が決定される。
【００２１】
次に複写シーケンスについて説明する。
前記セグメントの先端が所定の位置に達するとシーケンス動作が始まり、シーケンス制御用のカウンタが動作を開始する。このカウンタは、分周器１３９からのパルス信号によりカウントアップ動作をし、シーケンスが完了することによりクリアされる。カウンタが動作を開始し、その値がＣＮＴ １の値になると、出力ポート１３３からパワーパック１３５に信号が出力され、帯電器１０８が動作し、感光体１０７を一様に帯電する。
【００２２】
次に、カウンタ値がＣＮＴ ２になると、出力ポート１３３よりフラッシュ電源１０３に充電開始信号が入力され、フラッシュランプ１０２を点灯させるために、フラッシュ電源１０３内のコンデンサに電荷が蓄えられ、フラッシュ信号をフラッシュ電源１０３に送ることにより、フラッシュランプ１０２を点灯させる。このフラッシュランプ１０２によりコンタクトガラス１０１上にセットされた原稿を光照射し、感光体１０７を露光する。
【００２３】
このフラッシュ信号は、カウント値がＣＮＴ ３で出力される。さらに、感光体１０７が回転し、画像の先端がイレーサ１０９の位置（＝ＣＮＴ ４）に達すると、イレーサ１０９の画像に対応する部分が消灯し、画像の後端がイレーサ１０９の位置（＝ＣＮＴ ５）に達すると、イレーサ１０９は全点灯し、感光体１０７上の余分な電荷が消されて、原稿像の部分にのみ静電潜像が残される。
この静電潜像は、現像器１１０で現像され、表面コピーの場合は、給紙トレイ１１２，１１３，１１４のいずれかから送られた転写紙に転写される。また裏面コピーの場合は、両面トレイ１２４から送られた転写紙に転写される。原稿像と同期を取るために、転写紙はどのトレイから送られるかにより異なったタイミングで搬送を開始する。
【００２４】
原稿像を転写された転写紙は、搬送ベルト１１７を通り、定着器１１８により定着される。両面切り替え爪１２１は、ＣＮＴ ６で動作し、両面トレイ１２４にスタックする場合は両面トレイ１２４側に、そうでない場合は排出側に切り替える。排出切り替え爪１２２は、ＣＮＴ ７で動作し、転写紙を本体トレイ１１９に排出するかフィニッシャＣに送るかを切り替える。転写紙が排出されることによりシーケンス動作は終了する。
【００２５】
図３はＲＤＦ、ＡＤＦの内部構成図である。
まず、ＲＤＦについて説明する。
原稿載置台２０１に下向きに載置された原稿束は、最下部の原稿１枚がバキュームベルト２９２に引きつけられ、バキュームベルト２０２の移動により原稿給紙口に送られるが、給紙に先立ち、原稿仕切り爪２１５は一旦原稿を左上側に引き込まれ、再度出現することにより原稿束上にセットされる。
【００２６】
この状態で給紙された原稿は、原稿給紙ローラ２０３により中間搬送路２０４に送られ、一旦停止する。停止した原稿はその後の再起動によりターンローラ２０５、及び原稿搬送ベルト２０６によりコンタクトガラス１０１上にセットされる。
【００２７】
連続給紙する場合は、同時に前記給紙動作を実行することで、次の原稿を中間搬送路２０４にセットする。コンタクトガラス１０１上にセットされた原稿は、原稿搬送ベルト２０６と原稿排紙ローラ２０８との作用により原稿排紙路２０９に送られるが、片面原稿と両面原稿で排出方法が異なっている。
【００２８】
まず片面原稿の場合について説明する。
片面原稿の排紙動作は次のようになる。コンタクトガラス１０１上の原稿は、原稿搬送ベルト２０６により原稿排紙路２０９に導かれ、一旦排紙路に進入した原稿の後端が反転センサ２１１に検知されたとき、スイッチバックローラ２１０が逆転し、原稿は逆送する。このとき、排紙切り替え爪２０７が動作しているので、原稿は正転排出路２１３に導かれ、原稿排紙ローラ２１４により、原稿載置台２０１の原稿束の上に同じ向きで排出される。
【００２９】
次に両面原稿の場合について説明する。
両面原稿の場合は、スイッチバックローラ２１０の逆転はなく、両面原稿はそのまま反転排出路２１２に進む。従って、原稿載置台２０１に再度スタックされる場合は天地が逆になる。この状態で給紙されると、コンタクトガラス１０１上では裏面が露光されることになり、再度、反転排出路２１２を通ることで、元の状態に戻される。
最終原稿の検知は、最終原稿の上にセットされた原稿仕切り爪２１５が最終原稿の給紙により、仕切り爪検知センサ２１６内に落下することで行われる。
【００３０】
次にＡＤＦについて、同じく図３を基に説明する。
ＡＤＦの原稿載置トレイ２１９に画像面を下向きに載置された原稿束は、分離ベレード２１７により規制され、最下面の原稿のみ、分離ローラ２２１、呼び出しローラ２２０の搬送力により給紙される。給紙された原稿は、プルアウトローラ２２２とターンローラ２０５に搬送され、搬送ベルト２０６によりコンタクトガラス１０１上にセットされる。原稿がセットされると、コピープロセスが起動し、コピーが行われる。
【００３１】
コンタクトガラス１０１上にセットされた原稿の排出は以下のようになる。
原稿排紙トレイ２２４に排紙するときは、搬送ベルト２０６を動作し、排紙切り替え爪２０７を上に切り替え、ＡＤＦ排紙ローラ２２３をオンする。これにより原稿は原稿排紙トレイ２２４に排出される。
【００３２】
ＲＤＦに搬送する場合であって、正転排出のときは、搬送ベルト２０６を動作し、排紙切り替え爪２０７を下に切り替え、原稿排紙路２０９に原稿を導く。一旦排紙路に進入した原稿の後端が反転センサ２１１に検知されたとき、スイッチバックローラ２１０が逆転し、原稿は逆送される。このとき、排紙切り替え爪２０７を上に切り替えると、原稿は正転排出路２１３に導かれ、原稿排紙ローラ２１４により、ＲＤＦの原稿載置台２０１上に、複写した面を下向きにして排出される。
【００３３】
一方、反転排出時は、スイッチバックローラ２１０の逆転はなく、原稿はそのまま反転排出路２１２に進み、ＲＤＦの原稿載置台２０１に複写した面が上向きに排出される。
なお、図１に示すフィニッシャＣはそれ自身公知のものであり、本発明とは直接関係がないので、説明は省略する。
【００３４】
図４（ａ），（ｂ），（ｃ）はＲＤＦを用いた場合のコピー方法を示す説明図である。
この図を用いてＲＤＦを用いた場合のコピー方法を説明する。
まず、同図（ａ）に示す、片面／片面コピーについて説明する。
原稿載置台２０１に下向きに置かれた原稿は、１枚ずつ原稿束の下側から給紙され、原稿給紙路を通ってコンタクトガラス１０１上に送られて露光される。露光が完了すると、コンタクトガラス１０１上の原稿は、原稿搬送ベルト２０６により左側に送られ、原稿排紙トレイ２２４に排紙される。次の原稿は、露光中の原稿が露光完了しないうちに給紙され始めるため、原稿交換のための遅れを設けることなくコピーが作成される。原稿載置台２０１の原稿が一巡すると、１部のコピーが作成されるため、Ｎ部作成するためには、この動作をＮ回繰り返す。
【００３５】
次に、同図（ｂ）に示す、片面／両面コピーについて説明する。
片面／両面コピーの場合は、まず最初の原稿循環で表面となる原稿のコピーをとり、一旦両面トレイ１２４にスタックする。次の循環で、両面トレイ１２４内の表面コピー用紙に、１回目の循環でコピーしなかった原稿のコピーをとることで１部の両面コピーを作成する。
複数部作成する場合は、２巡目以降の原稿循環時、両面トレイ１２４からの転写紙にコピーすると同時に、表面コピーを作成し、両面トレイ１２４にスタックすることで、Ｎ部をＮ＋１回の原稿循環で作成する。
【００３６】
次に、同図（ｃ）に示す、両面／両面コピーについて説明する。
両面／両面コピーの場合は、まず最初の原稿循環で表面となる原稿のコピーをとり、一旦両面トレイ１２４にスタックする。この循環で原稿は反転して排出される。次の循環で、両面トレイ１２４内の表面コピー用紙に原稿の裏面コピーをとることで、１部の両面コピーを作成する。裏面コピーの原稿循環で原稿は再度反転され、最初の状態に戻される。即ち、原稿載置台２０１の原稿が２循環すると、一部のコピーが作成される。
【００３７】
次にマルチジョブの動作について説明する。
ＲＤＦを用いたコピーが終了次第、マルチジョブ動作に入る。原稿は、ＲＤＦの原稿載置台２０１からバキュームベルト２０２により給紙され、中間搬送路２０４を通り、コンタクトガラス１０１上を通る。このとき、排紙切り替え爪２０７を上に切り替え、ＡＤＦの排紙ローラ２２３をオンすることで、原稿は原稿排紙トレイ２２４に排紙される。ＲＤＦの原稿載置台２０１の原稿がなくなるまでこの動作を行う。
【００３８】
次の動作は、予約コピーの複写条件が、片面／片面、片面／両面、両面／両面の３つのモードの場合で分けられる。
【００３９】
図５（ａ），（ｂ），（ｃ）はマルチジョブの動作の説明図である。
まず、同図（ａ）に示す、片面／片面モードについて説明する。
ＡＤＦの原稿載置台２１９の原稿は１枚ずつ原稿束の下側から給紙され、コンタクトガラス１０１上に送られて露光される。露光が完了すると、コンタクトガラス１０１上の原稿は、搬送ベルト２０６と、ＲＤＦ搬送爪のオンにより、ＲＤＦの原稿トレイ（原稿載置台２０１）に排出される。次の原稿は露光中の原稿が露光完了しないうちに給紙され始めるため、原稿交換のための遅れを設けることなくコピーが作成される。
ＡＤＦの原稿載置台２１９の原稿がなくなると、１部のコピーが作成される。Ｎ部作成するためには、次にＲＤＦを用いたコピー方法による動作をＮ−１回繰り返す。
【００４０】
次に、同図（ｂ）に示す、片面／両面モードについて説明する。
まず、ＡＤＦの原稿載置台２１９の原稿を、ＲＤＦの原稿トレイに搬送する際に、表面となる原稿のコピーをとり、一旦両面トレイ１２４にスタックする。ＡＤＦの原稿載置台２１９の原稿が全てＲＤＦの原稿台に搬送されたら、次にＲＤＦを使い原稿を循環させ、両面トレイ１２４内の表面コピー用紙に、ＡＤＦの原稿載置台２１９の原稿をＲＤＦの原稿トレイに搬送する際にコピーしなかった原稿のコピーをとることで、１部の両面コピーを作成する。
複数部コピーする場合は、最初のＲＤＦトレイからの原稿循環時に、両面トレイ１２４からの転写紙にコピーすると同時に、表面コピーを作成し、両面トレイ１２４にスタックすることで、Ｎ部をＮ回の原稿循環で作成する。
【００４１】
次に、同図（ｃ）に示す、両面／両面モードについて説明する。
まず、ＡＤＦの原稿載置トレイ２１９の原稿を、ＲＤＦの原稿トレイに搬送する際に、表面となる原稿のコピーをとり、一旦両面トレイ１２４にスタックする。このとき、ＲＤＦの原稿トレイには原稿を反転して排出する。次に、ＲＤＦを使い原稿を循環させ、両面トレイ１２４内の表面コピー用紙に原稿の裏面コピーをとることで１部の両面コピーを作成する。裏面コピーの原稿循環で原稿は再度反転される。続いて複数部のコピーをとるときは、ＲＤＦを用いた場合のコピー方法に準ずる。
なお、フィニッシャＣへの原稿排出はＲＤＦを用いた場合のコピー方法に準じる。
【００４２】
図６は操作パネルの正面図である。
操作部４００において、符号４０１はモードクリアキーで、各々のモードを標準モードに戻すためのものである。このキー４０１の操作によりリピート枚数は１枚、濃度は自動濃度、給紙は自動給紙選択、変倍率は等倍に設定され、両面モード等その他の機能は全て解除される。
また、割り込みコピーをする場合に選択する割り込みキー４０２、使用者が頻繁に使用するモードを登録、呼び出しする場合に選択するプログラムキー４０３、基本操作や機能の説明を表示するときに選択するガイダンスキー４０４、複写動作を開始するときに選択するプリントキー（スタートキー）４０５、クリア／ストップキー４０６、テンキー４０７が備えられる。
【００４３】
プリントキー４０５は、レディ／ウェイト表示を兼ねており、レディ時はグリーンのＬＥＤが、ウェイト時はレッドのＬＥＤが点灯する。クリア／ストップキー４０６は、待機中はクリアキー、複写動作中はストップキーの機能を有する。このクリアキーは、設定した複写枚数を解除するときに押す。また、ストップキーは、複写動作を中断するときに押し、その時点での複写動作が終了したときに機械は停止する。テンキー４０７は、複写枚数を設定する場合、ズーム変倍、綴じ代の数値を入力する場合に使用する。
【００４４】
符号４０８は表示部で、多色表示が可能なカラーＬＣＤ（ＣＲＴ等でも可）タイプのもので、機能、状態、メッセージ等を表示する。この表示部４０８は、表面にタッチキーを配設したタッチパネルになっていて、操作表示手段として、機能、状態、メッセージ等を表示すると共に、機能の選択キーにもなっている。
【００４５】
図７はタッチパネル検出回路の一例を示す構成図である。また、図８は図７に示すタッチパネル検出回路の入出力レベルを示す図表である。
図６に示す表示部４０８は、前述したように、タッチパネルキーの機能を有しており、このキーの入力が図７に示す回路により検出される。
【００４６】
コントローラ５００は、検出端子をハイ状態にして、Ｘ１，Ｘ２，Ｙ１，Ｙ２を図８のように設定する。Ｙ１，Ｙ２の回路は抵抗Ｒでプルアップされているので、タッチパネルキー５０１のオフのとき、Ｙ１は＋５（Ｖ）になり、オンのときは０（Ｖ）になる。従って、Ａ／Ｄ変換器５０２の出力からオン／オフの状態を確認する。
【００４７】
コントローラ５００は、タッチパネルキー５０１のオン状態を検知すると測定モードに切り替える。Ｘ方向のときは、Ｘ１は＋５（Ｖ）、Ｘ２は０（Ｖ）になり、入力位置の電位がＹ１を通してＡ／Ｄ変換器５０２に接続され、座標が算出される。Ｙ方向の座標も回路を切り替えて同様に算出される。このような検出回路によりタッチパネルキー５０１の押下位置が検出される。
【００４８】
図９は操作部４００の制御系の一例を示すブロック図である。
操作部４００は、コマンドのやりとりをするためのシリアル通信で、光トランシーバ５０８を介してホスト複写機（ＰＰＣ）５０９と接続されている。操作部４００は、ホストＰＰＣ５０９側からのコマンドを受け取ると図６に示す表示部４０８上に表示する内容を決定し、予め記憶手段であるＲＯＭ５１０に記憶された画面データであるＣＧＲＯＭ（多数のビットパターンが記憶されており、コードによりパターンを指定し読み出すための記憶装置）５１１用コードをＶＲＡＭ５１２上に展開し、ＬＣＤコントローラ５１３を介して、ビットパターンをカラーＬＣＤ５１４上に画面として表示する。
【００４９】
ＶＲＡＭ５１２内の画面データのビットパターン展開エリアは幾つかに区切られており、現在表示されている画面とは別の画面のビットパターンを展開しておくことができ、ＶＲＡＭ５１２の表示エリアのアドレスを操作することにより、画面を一瞬で書き替えることができる。これによりカラーＬＣＤ５１４上での画面展開が可能になる。ＬＣＤコントローラ５１３は、ＣＰＵ５１５をはじめとして、ＣＧＲＯＭ５１１、タッチパネル５１６、キーボード５１７等とデータの授受を行う。
【００５０】
ＶＲＡＭ５１１には、カラーＬＣＤ５１４上の１ドットに対し、３ビット（０〜７）のピクセル値がＣＧＲＯＭ５１１からＬＣＤコントローラ５１３を介し書き込まれている。符号５１８は不揮発ＲＡＭを示す。なお、カラーＬＣＤ５１４、タッチパネル５１６は、図６の表示部４０８に相当し、キーボード５１７は各キー４０１〜４０７に相当する。
【００５１】
図１０はＬＣＤコントローラによるカラー表示制御を示す説明図である。
ＬＣＤコントローラ５１３は、図１０に示すように、ＶＲＡＭ５１２のピクセル値から、不揮発ＲＡＭ５１８上の表示色テーブルを参照して、赤（以下Ｒ）階調、緑（以下Ｇ）階調、青（以下Ｂ）階調をそれぞれ読み取り、各階調の値をカラーＬＣＤ５１４に入力することにより、カラー表示ができる。
【００５２】
本実施の形態では、Ｒ，Ｇ，Ｂの各階調が０〜６３までの６４段階設定できるため、
６４×６４×６４＝２６２１４４色の表示が可能である。
また、ピクセル値は０〜７までの８種類あるため、本実施の形態の操作部４００（表示部４０８）は、２６２１４４色中から任意の８色を表示することができる。
図１０の例では、ＶＲＡＭ５１２のピクセル値が５で、それに対応する表示色テーブルのＲ階調、Ｇ階調、Ｂ階調がそれぞれ５０なので、カラーＬＣＤ５１４上の一点に薄いグレーが表示されることになる。
前記の表示色テーブルの各階調の値を変えることにより、瞬時に操作画面（表示部４０８）の表示色を任意の色に変更することができる。
【００５３】
マルチジョブモードの設定について以下に説明する。図１１は表示部４０８の、複写開始待ち状態の表示内容を示す説明図である。操作画面となる表示部４０８の特定領域、例えばメッセージ表示エリア４０８ａは、表示色テーブルのピクセル値が３（Ｒ階調０、Ｇ階調０、Ｂ階調６３）になっており、ブルーの帯に白（ピクセル値７）でメッセージが表示されている。各キーのうち、選択されているキーは、ピクセル値５の濃いグレー、選択されていないキーは、ピクセル値６の薄いグレーで表示されている。表示部４０８の領域のうちでキーの背景エリア４０８ｂは、ピクセル値４の淡い黄色となっている。
【００５４】
図１２は表示部４０８の、第２のジョブの設定時の表示内容を示す説明図である。予約コピーキー４０８ｃが押下されると、現在設定されている複写モードは、一旦メモリ（不揮発ＲＡＭ５１８）に記憶され、第２のジョブの設定画面が表示される。このとき、表示色テーブル（図１０に示す不揮発ＲＡＭ５１８のテーブル）のピクセル値３を、（Ｒ階調６３、Ｇ階調１０、Ｂ階調６３）のマゼンタ、ピクセル値４を、（Ｒ階調４０、Ｇ階調６３、Ｂ階調４０）の薄いグリーンに変更し、メッセージ表示エリア４０８ａ、背景エリア４０８ｂの表示色をそれぞれマゼンタ／薄いグリーンに変更する。
【００５５】
第２のジョブの設定が終了し、再度予約コピーキー４０８ｃを押下すると、第２のジョブの設定内容がメモリに記憶され、第１のジョブの設定内容が呼び出され、画面に表示される。このとき、表示色テーブルのピクセル値３を、（Ｒ階調０、Ｇ階調０、Ｂ階調６３）のブルーに、ピクセル値４を、（Ｒ階調３５、Ｇ階調３５、Ｂ階調０）の淡い黄色に再度設定することにより、第１のジョブ設定時の表示色に戻す。
【００５６】
第２のジョブが設定されている状態で複写を開始し、第１のジョブの複写が終了し、第２のジョブの実行がスタートしたときも同様に、ピクセル値３と４の表示色テーブルを変更し、第２のジョブ設定時の表示色にする。第２のジョブが終了し、コピーが終了すると、同様に表示色を元に戻す。本実施の形態では、第１のジョブと第２のジョブの表示色の違いは、メッセージ表示エリア４０８ａと、背景エリア（背景部）４０８ｂのみであるが、表示画面の一部のみ（例えばメッセージ表示部）や、全表示色を変更させてもよい。
【００５７】
図１３、図１４は予約モード設定のフロー図である。
まず図１３において、予約コピーキー４０８ｃのオンをチェックし（Ｓ１）、オンであれば、複写開始待ち状態か（Ｓ２）、複写処理の実行中か（Ｓ３）をチェックする。即ち、予約が可能であるか否かをチェックし、可能であれば、既に予約済みか（Ｓ４）、予約中か（Ｓ５）をチェックし、どちらでもない場合は、予約が可能であるから現在の複写モードを記憶し（Ｓ６）、予約中フラグをセットする（Ｓ７）。その後、操作部４００の複写モード設定画面を出力し（Ｓ８）、予約のモード設定が可能なようにする。
【００５８】
また、ＡＤＦ原稿載置台（原稿載置トレイ２１９）への原稿セットをチェックし、複写処理の実行中か、複写開始待ち状態かをチェックし、複写処理の実行中であれば、原稿セットによる予約を可能とするフラグがセットされているか否かをチェックし、セットされていれば原稿セットフラグを見て、原稿がセットされたか否かをチェックする。予約コピーキー４０８ｃがオンされた場合、あるいは上記条件時に原稿がセットされた場合は、現在の複写モードをメモリに記憶し、新規の複写モードの設定画面を表示する。
【００５９】
予約モードの設定は、ＡＤＦの原稿セットによっても可能であるが、その場合は、原稿がセットされたか否かをチェックし（Ｓ９）、さらに複写処理中（Ｓ１０）でかつ、原稿セットで予約可のフラグがセットされている場合（Ｓ１１）には、予約コピーキー４０８ｃのオンと同じ処理を実行する。
【００６０】
複写モードの設定完了は、図１０に示すように、予約コピーキー４０８ｃの押下をチェックし（Ｓ２１）、押下された場合には、予約複写モードの設定中かをチェックし（Ｓ２２）、予約中であれば、予約モード設定中に設定された複写モードをメモリに記憶する（Ｓ２３）。そして、予約中フラグをクリアし（Ｓ２４）、予約済みのフラグをセットする（Ｓ２５）。予約済みのフラグがセットされると、予約コピーキー４０８ｃは無効となるよう制御されるのと同時に、予約中の表示を実行する。最後に、予約前の複写モードを呼び出して画面表示する（Ｓ２６）ことにより、予約モードの設定は完了する。
【００６１】
【発明の効果】
請求項１及び２記載の発明では、第２のジョブ設定時、操作画面の表示色を第１のジョブと異なる表示色に変更することにより、第２のジョブを設定していることが一目瞭然で判り、ユーザーインターフェイスを向上させ、使い易い複写装置を提供することができる。
【００６２】
また、第２のジョブ設定終了後、操作画面の表示色を第１のジョブの表示色に戻すことにより、現在の表示画面が、第１のジョブの複写モードを表示していることが一目瞭然で判り、ユーザーインターフェイスを向上させ、使い易い複写装置を提供することができる。
【００６３】
請求項３記載の発明では、第２のジョブの複写動作が開始すると、操作画面の表示色を第１のジョブの表示色と異なる表示色に変更させることにより、第１のジョブが終了し、第２のジョブの複写動作を行っていることが一目瞭然で判り、ユーザーインターフェイスを向上させ、使い易い複写装置を提供することができる。
【００６４】
請求項４記載の発明では、第２のジョブの複写動作が終了すると、操作画面の表示色を第１のジョブの表示色に戻すことにより、第２のジョブが終了し、次の第１のジョブの複写画面になったことが一目瞭然で判り、ユーザーインターフェイスを向上させ、使い易い複写装置を提供することができる。
【００６５】
請求項５記載の発明では、第２のジョブの設定画面の表示色と、第２のジョブの複写動作中の表示色を同色とすることにより、第２のジョブの複写動作を行っていることが感覚的に判り易く、ユーザーインターフェイスを向上させ、使い易い複写装置を提供することができる。
【図面の簡単な説明】
【図１】本発明の一実施の形態を示す複写装置の全体構成図である。
【図２】ベルト感光体に形成した像を転写紙に転写するための制御ブロック図である。
【図３】ＲＤＦ、ＡＤＦの内部構成図である。
【図４】ＲＤＦを用いた場合のコピー方法を示す説明図である。
【図５】マルチジョブ時の動作の説明図である。
【図６】操作部の正面図である。
【図７】タッチパネル検出回路の一例を示す構成図である。
【図８】図７に示すタッチパネル検出回路の入出力レベルを示す図表である。
【図９】操作部の制御系の一例を示すブロック図である。
【図１０】ＬＣＤコントローラによるカラー表示制御を示す説明図である。
【図１１】表示部の、複写開始待ち状態の表示内容を示す説明図である。
【図１２】表示部の、第２のジョブの設定時の表示内容を示す説明図である。
【図１３】予約モード設定のフロー図である。
【図１４】予約モード設定のフロー図である。
【符号の説明】
５０８  光トランシーバ
５０９  ホストＰＰＣ
５１０  ＲＯＭ
５１１  ＣＧＲＯＭ
５１２  ＶＲＡＭ
５１３  ＬＣＤコントローラ
５１４  カラーＬＣＤ
５１５  ＣＰＵ
５１６  タッチパネル
５１７  キーボード
５１８  不揮発ＲＡＭ
【図１】
0003568707.tif 000002
【図２】
0003568707.tif 000003
【図３】
0003568707.tif 000004
【図４】
0003568707.tif 000005
【図５】
0003568707.tif 000006
【図６】
0003568707.tif 000007
【図７】
0003568707.tif 000008
【図８】
0003568707.tif 000009
【図９】
0003568707.tif 000010
【図１０】
0003568707.tif 000011
【図１１】
0003568707.tif 000012
【図１２】
0003568707.tif 000013
【図１３】
0003568707.tif 000014
【図１４】
0003568707.tif 000015